Podtech/llm-jp-corpus-v4-ja_patent huggingface dataset:
(57)【特許請求の範囲】
【請求項１】
比率差動型無段変速機（日本国特許第３７８７７６９号）は遊星歯車部分（減速部）と球面摩擦車及び球面リングよりなる摩擦伝動部で回転数比を入力設定する部分と差動歯車装置により必要な回転数の動力を確実に伝える出力部とを備え、その球面摩擦車を３個以上にして球面リングに均等配置し、球面摩擦車と球面リングの間に必要な圧接力を球面摩擦車軸にばねを装着して得るようにした無段変速装置。
【発明の詳細な説明】
【技術分野】
【０００１】  無段変速機Ｆ１６Ｈ６１−６６
【背景技術】
【０００２】  日本国特許第３７８７７６９号の比率差動型無段変速機は遊星歯車装置による減速部と球面摩擦車・入力内側球面リング・従動内側球面リング等よりなる摩擦伝動部で球面摩擦車軸の方向を設定することにより両リングの回転数比を球面摩擦車と両リングとの接点から球面摩擦車軸への垂直距離比で入力設定する部分と差動歯車装置により必要な回転数の動力を零回転数から無段階に確実に伝える出力部よりなる。【０００３】
【特許文献１】日本国特許第３７８７７６９号
【発明の開示】
【発明が解決しようとする課題】
【０００４】  摩擦伝動部の２個の球面摩擦車軸を直角に支える支点軸にはばねを使って球面摩擦車が両リングに圧接するようになっているが、支点軸とレバー及びコントロール棒の操作性が確実ではない
【課題を解決するための手段】
【０００５】そこで球面摩擦車を２個から３個にし、両リングとの接点が正三角形になるようにすれば両リングも安定する。球面摩擦車軸を軸長の中点で直角に支える支点軸３本を正三角形に組み各支点軸端（正三角形の頂点）に６個の傘歯車を設置結合して、３本の支点軸・６個の傘歯車・３個の球面摩擦車が一体回転し、正確確実に同じ回転角度（無段階に両リングの回転数比を設定）になるようにする。【０００６】  球面摩擦車の軸にはばねで球面摩擦車が２つの入力内側球面リングと従動内側球面リングに等分に押し付けられスリップがないようにする。
なお摩擦伝動部は圧接力に限界があるため球面摩擦車は個数を多くした方がよいし、球面リングの直軽は大きくした方が合計圧接力及びそれによる合計伝達可能トルクは大きくなる。また動力を主として伝える差動歯車に比べて球面リングを相対的に大きくした方が入力設定する摩擦伝動部の負荷は軽くなる。【０００７】  傘歯車６個の軸受けを支える支柱はそれぞれ噛み合った傘歯車の軸受け２個ずつを支える支柱が正三角形の頂点に３か所ありこの支柱を２方向に伸ばす。１方向は正三角形の重心を通り正三角形の面に垂直な重心線上で正三角形の面の両側の適当な位置に３か所の支柱から合流させ、それを正三角形の面の片側にある入力内側球面リングの中空軸と入力傘歯車の中空軸を支える軸受を支える支柱となし、面のもう片側にある従動内側球面リングの中空軸と従動傘歯車の中空軸を支える軸受を支える支柱となす。もう１方向は反重心方向に伸ばして２つの入力内側球面リングと従動内側球面リングの間を通り収納箱に固定する。【０００８】  支点軸よりなる正三角形の３辺（軸）のうち１辺（軸）だけの片方の傘歯車の軸の先を伸ばし入力内側球面リングと従動内側球面リングの間を通り収納箱を貫通し終端にハンドルを取り付ける。このハンドルを左右に回すことにより無段変速や逆回転が出来る。【０００９】  入力内側球面リングの中空軸と入力傘歯車の中空軸及び従動内側球面リングの中空軸と従動傘歯車の中空軸とは焼きばめ或るいはスプラインにより固く一体化する。
【発明の効果】
【００１０】  球面摩擦車３個が確実に無段変速や逆回転を可能にする。
【発明を実施するための最良の形態】
【００１１】  効率の良い無段変速を可能にするには球面摩擦車が３個とも入力内側球面リングと従動内側球面リングに同じ角度で同じ圧接力で駆動しされなければならない。それがこの構造では可能である。
【実施例】
【００１２】  実施例はない。
【産業上の利用可能性】
【００１３】  伝達効率がよく自動車その他無段階に速度を変化させたり逆回転させる機械に利用可能である。
【図面の簡単な説明】
【００１４】
【図１】第１図は本無段変速機の正面断面図
【図２】第２図は第１図のＡ‐Ａ断面図
【符号の説明】
【００１５】０：入力軸
１：太陽外歯歯車
２：遊星歯車
３：太陽内歯歯車
４：キャリア
５：入力内側球面リング
６：球面摩擦車
７：従動内側球面リング
８：球面摩擦車の軸
９：３本で正三角形に組んだ支点軸
１０：傘歯車
１１：軸受
１２：ハンドル
１３：支柱
１４：軸受
１５：軸受
１６：入力傘歯車
１７：中間傘歯車でその軸はキャリアと一体回転
１８：従動傘歯車
１９：入力内側球面リングの中空軸
２０：入力傘歯車の中空軸
２１：従動傘歯車の中空軸
２２：従動内側球面リングの中空軸
２３：軸受
２４：出力軸
２５：収納箱
【図１】
0006818265.tif 000002
【図２】
0006818265.tif 000003
(57)【特許請求の範囲】
【請求項１】
マイク部７に、マスク５に紫外線を照射する紫外線ＬＥＤ９を具備した紫外線ＬＥＤ付きヘッドセット。
【請求項２】
前記マイク部７には、マスク５に紫外線を照射する範囲がわかるようにＬＥＤ８を設け、紫外線を照射した範囲を可視光で照らすことを特徴とした請求項１に記載の紫外線ＬＥＤ付きヘッドセット。
【発明の詳細な説明】
【技術分野】
【０００１】  本発明は、マスクに紫外線を照射してインフルエンザなどのウィルスを減菌する機能のあるヘッドセットに関するものである。
【背景技術】
【０００２】  コールセンターなどでインフルエンザなどの感染症対策を行う場合、ウィルスが飛散しないように、マスクを装着した上でヘッドセットを装着する必要がある。
【発明の開示】
【発明が解決しようとする課題】
【０００３】  マスクでウィルスのエアロゾルが防げたとしても、次の呼気で付着しているウィルスが飛ばされる場合がある。  さらに、マスクを手で触ると、手にウィルスが移って、その手が様々な物に触れることで、新たな感染源となることもある。  そこで、マスクに付着したウィルスを積極的に減菌することで、インフルエンザなどの感染症を防止することを課題とする。
【課題を解決するための手段】
【０００４】  請求項１記載の発明は、まず、ヘッドセットは、スピーカ１とヘッドバンド２とマイクブームアーム４とマイク部７で構成されている。  ヘッドセットでは、本体の端末から簡単に電力を取り出すことができることと、マスク５の呼吸通気範囲６とマイク１０の音声を拾う方向が一致することに注目する。  マイク１０の音声を拾う方向に向けて、紫外線ＬＥＤ９から照射ビーム１１をマスク５の呼吸通気範囲６に照射する。  紫外線ＬＥＤ９の照射ビーム１１は、マスク５の呼吸通気範囲６を、紫外線が照らすので、付着するウィルスを減菌することができる。【０００５】  請求項２記載の発明は、照射ビーム１１に、ＬＥＤ８の照射を重ねたもので、呼吸通気範囲６が可視光で照らされるため、紫外線ＬＥＤ９がどの部分を照らしているのかの視認が容易にできるようにしたものである。
【発明の効果】
【０００６】  本発明のマスク５の呼吸通気範囲６に、紫外線ＬＥＤ９から照射された紫外線の殺菌作用により、外部から侵入するウィルスを減菌する。  使用者３がインフルエンザなどの感染症に罹患していた場合は、呼気の中のウィルスをマスク５で捕らえ、マスク５の呼吸通気範囲６に、紫外線ＬＥＤ９から照射された紫外線の殺菌作用により、マスク５に付着しているウィルスを減菌する。
【図面の簡単な説明】
【０００７】
【図１】本発明の見取り図である。
【図２】本発明の上面図である。
【図３】本発明の使用者から見た正面図である。
【図４】本発明のケーブル組み立て図である。
【図５】本発明の電子回路図である。
【発明を実施するための形態】
【０００８】  第１図は、使用者３がマスク５を装着し、スピーカ１とヘッドバンド２とマイクブームアーム４とマイク部７で構成されるヘッドセットを装着する。
【０００９】  第２図は、マイク１０が使用者３の口から発生する音声を拾い、マスク５の呼吸通気範囲６を紫外線ＬＥＤ９から放射される紫外線の放射ビーム１１で照らされる。  請求項２記載の発明では、さらに、ＬＥＤ８は放射される可視光は放射ビーム１１と重なり、呼吸通気範囲６を照らし、最適な紫外線の照射範囲を確認しながら、照射範囲をマイクブームアーム４で調節する。
【００１０】  第３図は、マイク部７が、ＬＥＤ８と紫外線ＬＥＤ９とマイク１０で構成され、それぞれが近接していて、それぞれの指向性の方向が一致しているように配置されている。
【００１１】  第４図は、スピーカ１とヘッドバンド２とマイクブームアーム４とマイク部７で構成されるヘッドセットと中間スイッチ１３がケーブル１２で接続している。  中間スイッチ１３は、オルタネイト型の押ボタンスイッチで、使用者３が任意に紫外線ＬＥＤ９を点灯、あるいは、消灯することができる。  請求項２記載の発明では、さらに、ＬＥＤ８も紫外線ＬＥＤ９と同時に点灯、あるいは、消灯することができる。  中間スイッチ１３は、マイクプラグ１４，スピーカプラグ１５，ＵＳＢプラグ１６に接続していて、それぞれ、コンピュータなどの端末のマイクジャック，スピーカジャック，ＵＳＢジャックに繋げる。
【００１２】  第５図は、ＵＳＢプラグ１６から供給される電力を、オルタネイト型の押ボタンスイッチの中間スイッチ１３を介して紫外線ＬＥＤ９に供給し、使用者３が任意に紫外線ＬＥＤ９を点灯、あるいは、消灯することができる。  請求項２記載の発明では、さらに、ＬＥＤ８も紫外線ＬＥＤ９と同時に点灯、あるいは、消灯することができる。  マイクプラグ１４は、マイク１０に接続する。  スピーカプラグ１５は、スピーカ１に接続する。
【符号の説明】
【００１８】      １  スピーカ                      ２  ヘッドバンド      ３  使用者                        ４  マイクブームアーム      ５  マスク                        ６  呼吸通気範囲      ７  マイク部                      ８  ＬＥＤ      ９  紫外線ＬＥＤ                １０  マイク    １１  照射ビーム                  １２  ケーブル    １３  中間スイッチ                １４  マイクプラグ    １５  スピーカプラグ              １６  ＵＳＢプラグ
【要約】【課題】コールセンターなどでインフルエンザなどの感染症対策を行う場合、ウィルスを積極的に減菌する方法を提供すること。【解決手段】ヘッドセットのマイク部７に、マスク５に紫外線を照射する紫外線ＬＥＤ９を具備する。【選択図】図１【図１】
0006818389.tif 000002
【図２】
0006818389.tif 000003
【図３】
0006818389.tif 000004
【図４】
0006818389.tif 000005
【図５】
0006818389.tif 000006
(57)【特許請求の範囲】
【請求項１】
鼻と口を覆う布３枚の布を横にして、布上部（１−１）、布中部（１−２）、布下部（1-3）、として、各布を上下にずらして左右の蝶ネジでそれぞれ固定して、使用出来るようにして、マスク本体を斜視図で見て、それぞれ透明合成樹脂の蝶ネジ雄（４）と蝶ネジ雌（４−１）で固定して左と右の透明の合成樹脂を使用して、マスク布上部（１−１）、布中部（１−２）、布下部（１−３）は、蝶ネジで固定されたので３枚は、右上をゴム紐（２）クリップ（３）で固定させ、左上は、コム紐（２）をセットしてクリップ（３−１）を固定させた。下部左右は同様の方法でマスクとして使用出る構造にした事を特徴とした事を特徴とする蝶ネジを用いたマスク。
【発明の詳細な説明】
【技術分野】
【０００１】
本発明は，新型コロナウイルス感染防止のために欠かせないマスクであり、更に便利さを備えたマスクに関する。
【背景技術】
【０００２】
従来，口と鼻をマスクで覆い昔から使用して来たものであるが、日本では２０２０年３月頃から新型コロナウイルス感染が極めて多くなり、死者も多くなって来たため感染防止のため国民全員が智恵を出して行く事は欠かせない。
［特許文献１］実願2020-2420［考案の名称］飲食用使い捨て呼気シールドマスク[特許文献２]特願2006-270119 ［発明の名称］微小光学素子、その製造方法及びフォトマスク。
マスクは、公報に掲載はあるが構造の違いが大きい。
【先行技術文献】
【特許文献】
【０００３】
【特許文献１】実願２０２０-２４２０
【特許文献２】特願２００６−２７０１１９
【発明の概要】
【発明が解決しようとする課題】
【０００４】
日本では、新型コロナウイルス感染が極めて多くなり特に東京都、北海道は２０２０年３月から７月は多く感染し危険な状態であることは事実である。
また、日本人全員が感染防止のためマスクを使用することは欠かせない。
しかし、感染率が少ない地域に置いては、マスクを重要視していない人もいるが、全員がマスクと手洗いは完全にすべきと考える。
一人でも多くの方々が使用することが重要であり、これを解決する事が課題である。
【課題を解決するための手段】
【０００５】
課題を解決するために本発明は，以下の構成とした。
鼻と口を覆う布３枚の布を横にして、布上部（１−１）、布中部（１−２）、布下部（1-3）、として、各布を上下にずらして左右の透明の蝶ネジでそれぞれ固定して、使用出来るようにした。
マスク本体を斜視図で見て、それぞれ透明合成樹脂の蝶ネジ雄（４）と蝶ネジ雌（４−１）で固定した。
【０００６】
左と右の透明の合成樹脂を使用して、マスク布上部（１−１）、布中部（１−２）、布下部（１−３）は、蝶ネジで固定されたので３枚は、右上をゴム紐（２）クリップ（３）で固定させ、左上は、コム紐（２）をセットしてクリップ（３−１）を固定させた。
下部左右は同様の方法でマスクとして使用出る構造にした。
【発明の効果】
【０００７】
1.  マスク（１）の構造は、ウイルス感染防止を出来る事と、マスクの布３枚、ゴム紐、クリップ、透明蝶ネジ凹凸すべてどのように操作する時でも便利である。
2.  透明蝶ネジ凹凸は、布上部・中部・下部に間隔を開ける場合は容易に出来るため便利である。
【図面の簡単な説明】
【０００８】
【図１】マスク正面図
【図２】３つに分解した正面図
【図３】側面から見たクリップ説明図
【図４】クリップ平面図
【図５】「A」蝶ネジ凸部のネジ山を見せた説明図    「B」蝶ネジ凸部のプラスネジを見せた説明図
【発明を実施するための形態】
【０００９】
鼻と口を覆う布３枚の布を横にして、布上部（１−１）、布中部（１−２）、布下部（1-3）、として、各布を上下にずらして左右の蝶ネジでそれぞれ固定して、使用出来るようにした。
また、横布を固定しても、蝶ネジで簡単に間隔を広げ、縮めることも容易に出来る様にした。
マスク本体を正面から見て、それぞれ透明合成樹脂の蝶ネジ雄（４）と蝶ネジ雌（４−１）で固定した。
【００１０】
左と右の透明の合成樹脂を使用して、マスク布上部（１−１）、布中部（１−２）、布下部（１−３）は、蝶ネジで固定されたので３枚は、右上をゴム紐（２）クリップ（３）で固定させ、左上は、コム紐（２）をセットしてクリップ（３−１）を固定させた。
下部左右は同様の方法でマスクとして使用出る構造にした。
【００１１】
クリップ（３）も、蝶ネジも透明の素材を使用しているため、見苦しい事は感じさせないようにした。
【符号の説明】
【００１２】
１.       マスク本体
1−１.    布上部
１−２．  布中部
１−３.   布下部
１−４．  縫い糸
２．      ゴムバンド 
３．      クリップ
３−１．  クリップ下
３−２．  クリップ開閉操作部
４．      蝶ネジ凸部先端
４−１.   蝶ネジ凹部
４−２．  蝶ネジ凸部プラスネジ部
【要約】
【課題】日本人全員が感染防止のためマスクを使用することは欠かせない。
しかし、感染率が少ない地域に置いては、マスクを重要視していない人もいるのが、全員がマスクを使用して且つ、手洗いは完全にすべきと考える。
一人でも多くの方々が使用することが重要であり、好んで求められる事が重要でありそれらの条件になるマスクを提供する。
【解決手段】鼻と口を覆う布３枚の布を横にして、布上部、布中部、布下部、として、各布を上下にずらして左右の蝶ネジでそれぞれ固定して、使用出来るようにした。
前記の方法でマスクとして使用出る構造にした事を特徴とした事を特徴とする蝶ネジを用いたマスク。
【選択図】図１【図１】
0006886763.tif 000002
【図２】
0006886763.tif 000003
【図３】
0006886763.tif 000004
【図４】
0006886763.tif 000005
【図５】
0006886763.tif 000006
(57)【特許請求の範囲】
【請求項１】
直角状の固定物の上面と側面にかけて引っ掛ける干し物を固定するための 
固定具であって、該固定具は、長尺状の上側固定部材と、長尺状の側面固定
部材とから構成されており、両者はくの字状となるように回転可能に連絡さ
れるとともに、鋭角方向に閉じるように付勢される弾性体を備えるとともに、
前記上側固定部材は、前記側面固定部材に回転可能に連結された回動軸から 
離間する方向の端部に前記固定物の上面に固定される吸盤が設けられてお
り、この吸盤と、前記回動軸との間に前記固定物の上面の前記干し物に押し 
当てられる第１突起物が設けられ、さらに、前記側面固定部材の下部に前記
干し物を押さえる第２突起部が取り付けられていることを特徴とする固定
具
【発明の詳細な説明】
【技術分野】
【０００１】  本発明は洗濯物を部屋で干す際の固定具の構造に関する。
【発明の概要】
【発明が解決しようとする課題】
【０００２】降雨時などのように洗濯物を部屋で干す時などは、洗濯用ハンガーなどを使って干すようになるが、この場合ハンガーなどで部屋のスペースを確保する必要が出てくる。本発明はこのような大幅な部屋のスペースを確保しなくても洗濯物が干せるようにすることを課題とする。
【課題を解決するための手段】
【０００３】直角状の固定物の上面と側面にかけて引っ掛ける干し物を固定するための固定具であって、該固定具は、長尺状の上側固定部材と、長尺状の側面固定部材とから構成されており、両者は「く」の字状となるように回転可能に連絡されるとともに、鋭角方向に閉じるように付勢される弾性体を備えていることを特徴とする。
【発明の効果】
【０００４】本発明によれば、降雨時などのように部屋で洗濯物を干す際において、タンスなどの部屋にある固定物を有効に利用して洗濯物を干すことができる。【０００５】また、タンスなどの固定物を有効に利用するため、洗濯物を干すための広いスペースを必要とすることがなくなるという効果が得られる。
【図面の簡単な説明】
【０００６】
【図１】本発明の実施例を示す斜視図。
【図２】本発明の実施例を示す側面図。
【発明を実施するための形態】
【実施例】
【０００７】本発明の実施例について図面に基づいて説明する。本発明の固定具Ｋは、断面が四角状とされた長尺状の上側固定具１と、同様に断面が四角状とされた長尺状の下側固定具２とから構成されている。【０００８】そして、この上側固定具１と下側固定具２とは、それぞれの端部を回動可能な軸部材３で連結されている。【０００９】この固定具Ｋの上側固定具１の前記軸部材３から離間する方向の端部に、例えば部屋に配置されているタンス等の固定物４の上面に押し付けて固定する吸盤５が取り付けられている。【００１０】又、上側固定具１には、前記軸部材３と、前記吸盤５との間に、例えば洗濯物としてのタオル９等を押さえる第１突起部６が取り付けられている。【００１１】さらに、下側固定具２にも、前記軸部材３から離間した先端部側に洗濯物としてのタオル９を押さえる第２突起部７が取り付けられている。【００１２】前記上側固定具１と下側固定具２とは、前記軸部材３と前記第１突起部６との間、および軸部材３と第２突起部７との間に、バネ部材８が取り付けられており、【００１３】なお、このバネ部材８は、金属製のコイル材で構成しているが、常時閉じる方向に付勢されているのであれば、ゴム等でも良いものである。【００１４】本発明によれば、洗濯物としてのタオル９を部屋で干す際、まず最初にタオル９をタンス等の固定物４の上面と側面にかけて取り付け、固定具Ｋを湾曲状に開いて、吸盤５を固定物４に固定し、突起物６でタオル９を重力で固定し、突起物７でタオル９を側面にて固定する。
【符号の説明】
【００１５】  Ｋ  固定具
１  上側固定具
２  下側固定具
３  軸部材
４  固定物
５  吸盤
６  第１突起物
７  第２突起物
８  バネ部材
９  タオル
【図１】
0006983278.tif 000002
【図２】
0006983278.tif 000003
(57)【特許請求の範囲】
【請求項１】
円筒体の本体１１と、本体１１の円筒体内部に沿って回転する回転軸１２を備え、
本体１１と回転軸１２には、回転軸を本体内の内側に沿って回転するための深溝玉軸１４を備え、対象物８は、対象物Ａ（８１）と対象物Ｂ（８２）でなり、
回転軸１２に接続された接続部６のフランジと、対象物Ａ（８１）の一部であるフランジがボルトナット接合され、
本体１１は、バックシールドガスの供給口１６を備え、
回転軸は、バックシールドガスの供給口１６から、本体の内側に沿って形成された円盤状の通路である供給通路１７１と、前記供給通路１７１に連通し、排出口１２２に導く排出通路１７２を備え、
回転軸１２の排出口１２２を、裏波溶接をする対象物８に本体の外側で接続する接続部６を備え、他端に回転軸１２を回転させるポジショナー５と接続することにより、
本体１１に供給されたバックシールドガスは、回転軸１２に設けたガス通路１７を介して、排出口１２２を介して、接続部から外方向に接続された裏波溶接をする対象物８に供給することを特徴とする裏波溶接用バックシールドガス供給装置。
【発明の詳細な説明】
【技術分野】
【０００１】        裏波溶接に関するもの
【背景技術】
【０００２】        裏波溶接時に、溶接する配管をポジショナーで固定し回転させ、バックシールドガスをホースで供給していた。
【発明の概要】
【発明が解決しようとする課題】
【０００３】      裏波溶接時に、溶接する配管をポジショナーで固定し回転させると、バックシールドガスを供給するホースが、ねじれる問題があった。
【課題を解決するための手段】
【０００４】  円筒体の本体１１と、本体１１の円筒体内部に沿って回転する回転軸１２を備え、
本体１１と回転軸１２には、回転軸を本体内の内側に沿って回転するための深溝玉軸１４を備え、
本体１１は、バックシールドガスの供給口１６を備え、
回転軸は、バックシールドガスの供給口１６から、本体の内側に沿って形成された円盤状の通路である供給通路１７１と、前記供給通路１７１に連通し、排出口１２２に導く排出通路１７２を備え、
回転軸の排出口を、裏波溶接をする対象物に接続し、他端を回転軸を回転させるポジショナーと接続することにより、
本体に供給されたバックシールドガスは、回転軸に設けたガス通路を介して、排出口から、裏波溶接をする対象物に供給することを特徴とする裏波溶接用バックシールドガス供給装置である。
【発明の効果】
【０００５】      シールド供給するホースがもつれなくなった。
【図面の簡単な説明】
【０００６】
【図１】裏波溶接用バックシールドガス供給装置の使用図
【図２】裏波溶接用バックシールドガス供給装置治の構成  （ａ）断面図  （ｂ）斜視図
【発明を実施するための形態】
【０００７】図１に本発明に掛かる裏波溶接の使用例を示す。
図１においては、ポジショナー５に裏波溶接用バックシールドガス供給装置治具１を取り付け、回転軸１２に接続された接続部６のフランジと、対象物Ａ（８１）の一部であるフランジがボルトとナットで接続（ボルトナット接合）されています。
また、バルブ３をオープンにし、バックシールドガスをホース４から枝ニップル２に注入する。そして、対象物Ａ（８１）と対象物Ｂ（８２）の境目を、ＴＩＧ溶接にてトーチ７を近づけて溶接する。ポジショナー５で回転させながら、溶接部を１周、溶接し続ける。
【０００８】図２（ａ）と（ｂ）で、裏波溶接用バックシールドガス供給装置の構成を説明する。
円筒体の本体１１と、本体１１の円筒体内部に沿って回転する回転軸１２を備え、
本体１１と回転軸１２には、回転軸１２を本体１１内の内側に沿って回転するための深溝玉軸１４を備え、
本体１１は、バックシールドガスの供給口１６を備え、
回転軸１２は、バックシールドガスの供給口１６から、本体の内側に沿って形成された円盤状の通路である供給通路１７１と、前記供給通路１７１に連通し、排出通路１７２を通り、排出口１２２に導くガス通路１７を備え、
回転軸１２の排出口１２２を、裏波溶接をする対象物Ａ（８１）と接続し、他端を、回転軸１２を回転させるポジショナー５と接続することにより、
本体１１に供給されたバックシールドガスを、回転軸１２に設けたガス通路１７を通して、
排出口１２２から、裏波溶接をする対象物８に供給する。
バックシールドガスは、ホース４から供給され、バルブ３を通り、枝ニップル２を通り、供給口１６から本体１１内部に入り、供給通路１７１を通り、軸通路１７２を通り、排出口１２２へと導かれる。
ポジショナー５を回転させると、回転軸１２は共廻りするが、深溝玉軸１４がルーズ構造となっているので、本体１１は、共廻りをせず、ホース４が回転軸１２と共廻りしない構成となっている。
【０００９】    裏波溶接用バックシールドガス供給装置治具の回転軸１２は、ポジショナー５の回転と共に同じように回転するが、裏波溶接用バックシールドガス供給装置治具の本体１１は、深溝玉軸１４とオイルシール１５によって、ルーズ構造となっており、回転軸１２が回転しても、本体１１は回転せず、ホース４が絡まない構造となっている。
回転部と固定部がシールドされて、バックシールドガスが洩れない。
【符号の説明】
【０００９】  １  裏波溶接用バックシールドガス供給装置
１１  本体
１２  回転軸
１２１  ポジショナー接続端
１２２  排出口
１３  押さえフタ
１４  深溝玉軸
１５  オイルシール
１６  供給口
１７  ガス通路
１７１  供給通路
１７２  排出通路
２  枝ニップル
３  バルブ
４  ホース
５  ポジッショナー
５１  回転部
６  接続部
７  溶接トーチ
８  対象物
８１  対象物Ａ
８２  対象物Ｂ
Ｐ  バックシールドガス
【要約】
【課題】裏波溶接時に、溶接する配管をポジショナーで固定し回転させると、バックシールドガスを供給するホースがねじれるので、固定部がルーズ構造で回転し、しかもシールされる構造の回転装置を提供する。
【解決手段】  円筒体の本体１１と、本体１１の円筒体内部に沿って回転する回転軸１２を備え、本体１１は、バックシールドガス供給口を備え、
回転軸１２は、バックシールドガスの供給口１６から、本体の内側に沿って形成された円盤状の通路である供給通路１７２と、前記供給通路１７２に連通し、排出口１２２に導く排出通路を備え、本体に供給されたバックシールドガスは、回転軸１２に設けたガス通路１７を介して、排出口１２２から、裏波溶接をする対象物８に供給することを特徴とする裏波溶接用バックシールドガス供給装置。
【選択図】図１【図１】
0006983384.tif 000002
【図２】
0006983384.tif 000003